(57)【要約】【課題】ユーザーの操作や作業の負担を軽減すると共に、読み取られた名刺の表面の画像と名刺の裏面の画像とを効率的に対応付けることができる画像処理装置を提供する。【解決手段】複合機１１は、判断部３６と、比較部３７と、第一制御部３８とを備える。判断部３６は、読み取り部１４により所定の回に読み取られ、主記憶メモリ１９に記憶された名刺の画像に含まれる文字列の属性と、読み取り部１４により所定の回と異なる回に読み取られ、主記憶メモリ１９に記憶された名刺の画像に含まれる文字列の属性とが一致するか否かを、受け付け部３５により入力を受け付けた文字列の属性の優先順位順に判断する。比較部３７は、判断部３６により文字列の属性が一致すると判断されれば、属性が導出された文字列が一致するか否かを比較する。第一制御部３８は、比較部３７による文字列の比較結果に基づいて、名刺の一方の面の画像と名刺の他方の面の画像とを名刺の表裏の画像として対応付ける。【選択図】図３
2018056920.tif 000002
【特許請求の範囲】
【請求項１】
名刺の画像を読み取る読み取り部と、
前記読み取り部により読み取られた前記名刺の画像を記憶する記憶部と、
前記読み取り部により読み取られた前記名刺の画像の端部に沿って切り出す切り出し部と、
前記切り出し部により切り出された前記名刺の画像の端部が傾斜していれば、傾斜を修正するよう前記名刺の画像を回転させる回転部と、
前記切り出し部により切り出された前記名刺の画像の中から文字列を抽出する抽出部と、
前記抽出部により抽出された前記文字列の属性を導出する導出部と、
予め前記文字列の属性の優先順位の入力を受け付ける受け付け部と、
前記読み取り部により所定の回に読み取られ、前記記憶部に記憶された前記名刺の画像に含まれる前記文字列の属性と、前記読み取り部により前記所定の回と異なる回に読み取られ、前記記憶部に記憶された前記名刺の画像に含まれる前記文字列の属性とが一致するか否かを、前記受け付け部により入力を受け付けた前記文字列の属性の優先順位順に判断する判断部と、
前記判断部により前記文字列の属性が一致すると判断されれば、前記属性が導出された前記文字列が一致するか否かを比較する比較部と、
前記比較部による前記文字列の比較結果に基づいて、前記名刺の一方の面の画像と前記名刺の他方の面の画像とを前記名刺の表裏の画像として対応付ける第一制御部と、
前記第一制御部により表面の画像と裏面の画像とが対応付けられた前記名刺の画像を前記記憶部に記憶するよう制御する第二制御部とを備える、画像処理装置。
【請求項２】
前記名刺の表面の画像に含まれる前記文字列と前記名刺の裏面の画像に含まれる前記文字列との言語が一致するか否かを判定する判定部と、
前記判定部により一致しないと判定されれば、一方の前記文字列の言語に他方の前記文字列の言語を翻訳する翻訳部とをさらに備え、
前記判断部は、翻訳された前記文字列の属性が翻訳されていない前記文字列の属性と一致するか否かを判断する、請求項１に記載の画像処理装置。
【請求項３】
前記第一制御部は、一方の面に含まれる前記属性を示す前記文字列に対して所定の位置にある前記文字列が、他方の面に含まれる前記属性を示す前記文字列に対して所定の位置にある前記文字列と一致すれば、前記名刺の表面の画像と前記名刺の裏面の画像とを対応付けるよう制御する、請求項１または２に記載の画像処理装置。
【請求項４】
前記第一制御部による対応付けの結果を報知する報知部をさらに備える、請求項１〜３のいずれか１項に記載の画像処理装置。
【請求項５】
前記報知部により報知された前記対応付けの結果の修正を受け付ける修正受け付け部をさらに備える、請求項４に記載の画像処理装置。
【請求項６】
用紙に画像を形成する画像形成部と、
前記第二制御部により前記記憶部に記憶するよう制御され、表面の画像と裏面の画像とが対応付けられた前記名刺の画像を基に前記画像形成部により前記用紙に画像を形成するよう制御する第三制御部とをさらに備える、請求項１〜５のいずれか１項に記載の画像処理装置。
【請求項７】
前記第三制御部は、前記名刺の表面の画像を前記用紙の一方の面に形成し、前記名刺の裏面の画像を前記用紙の他方の面のうちの前記名刺の表面に対応する位置に形成するよう前記画像形成部を制御する、請求項６に記載の画像処理装置。
【請求項８】
前記第三制御部は、前記第一制御部により表面の画像と裏面の画像を対応付けた前記名刺の画像を、前記用紙の縦方向または横方向に一列に連なるよう複数配列させて前記画像形成部により画像を形成するよう制御する、請求項６または７に記載の画像処理装置。
【請求項９】
前記第三制御部は、前記属性の中で予め定められた順序で前記名刺の画像データを配列させて前記画像形成部により画像を形成するよう制御する、請求項８に記載の画像処理装置。
【請求項１０】
前記属性は、名前、電子メールアドレス、電話番号、ファクシミリ番号、住所、会社、所属、および役職のうちの少なくともいずれか一つを含む、請求項１〜９のいずれか１項に記載の画像処理装置。
【請求項１１】
名刺の両面の画像を読み取る読み取り部と、
前記読み取り部により読み取られた前記名刺の画像を記憶する記憶部と、
前記読み取り部により読み取られた前記名刺の画像の端部に沿って切り出す切り出し部と、
前記切り出し部により切り出された前記名刺の画像の端部が傾斜していれば、傾斜を修正するよう前記名刺の画像を回転させる回転部と、
前記切り出し部により切り出された前記名刺の画像の中から文字列を抽出する抽出部と、
前記抽出部により抽出された前記文字列の属性を導出する導出部と、
予め前記文字列の属性の優先順位の入力を受け付ける受け付け部と、
前記読み取り部により所定の回に読み取られ、前記記憶部に記憶された前記名刺の画像に含まれる前記文字列の属性と、前記読み取り部により前記所定の回と異なる回に読み取られ、前記記憶部に記憶された前記名刺の画像に含まれる前記文字列の属性とが一致するか否かを、前記受け付け部により入力を受け付けた前記文字列の属性の優先順位順に判断する判断部と、
前記判断部により前記文字列の属性が一致すると判断されれば、前記属性が導出された前記文字列が一致するか否かを比較する比較部と、
前記比較部による前記文字列の比較結果に基づいて、前記名刺の一方の面の画像と前記名刺の他方の面の画像とを前記名刺の表裏の画像として対応付ける第一制御部と、
前記第一制御部により表面の画像と裏面の画像とが対応付けられた前記名刺の画像を前記記憶部に記憶するよう制御する第二制御部とを備える、画像処理装置。
【請求項１２】
名刺の両面の画像を読み取る工程と、
読み取られた前記名刺の画像を記憶する工程と、
読み取られた前記名刺の画像の端部に沿って切り出す工程と、
切り出された前記名刺の画像の端部が傾斜していれば、傾斜を修正するよう前記名刺の画像を回転させる工程と、
切り出された前記名刺の画像の中から文字列を抽出する工程と、
抽出された前記文字列の属性を導出する工程と、
予め前記文字列の属性の優先順位の入力を受け付ける工程と、
所定の回に読み取られ、記憶された画像に含まれる前記文字列の属性と、前記所定の回と異なる回に読み取られ、記憶された画像に含まれる前記文字列の属性とが一致するか否かを、受け付けた前記文字列の属性の優先順位順に判断する工程と、
前記文字列の属性が一致すると判断されれば、前記属性が導出された前記文字列が一致するか否かを比較する工程と、
前記文字列の比較結果に基づいて、一方の面の画像と他方の面の画像とを表裏の画像として対応付ける工程と、
表面の画像と裏面の画像とが対応付けられた画像を記憶するよう制御する工程とを備える、画像処理方法。
【発明の詳細な説明】
【技術分野】
【０００１】
この発明は、画像処理装置に関するものである。
【背景技術】
【０００２】
複合機に代表される画像処理装置においては、画像データを基に、感光体に対して光を照射し、感光体上に静電潜像を形成する。その後、形成した静電潜像の上に帯電したトナーを供給して可視画像とした後、用紙に転写して定着させ、装置外に出力される。
【０００３】
特許文献１には、原稿台の複数の原稿を読み取る読み取り手段を含む画像処理システムが開示されている。特許文献１に開示の画像処理システムは、上記読み取り手段で読み取られた原稿の原稿部分を複数の画像データとして切り出し、複数の原稿の表面と裏面とを読み取った後に、切り出された複数の画像データを対応付け、対応付けられた画像データを合成する。そして、名刺では、たとえば、表面の郵便番号と裏面の郵便番号とを比較し、同じであるものを対応付けている。
【先行技術文献】
【特許文献】
【０００４】
【特許文献１】特開２００６−３３９７７０号公報
【発明の概要】
【発明が解決しようとする課題】
【０００５】
特許文献１によると、名刺の表面の画像の位置情報と名刺の裏面の画像の位置情報とに基づいて対応付け、すなわち、名刺の表面と名刺の裏面とのペアの決定を行うこととしている。しかし、このような構成では、名刺の画像を読み取らせようとするユーザーに対して、適切な位置に名刺を配置しなければならない負担を生じさせることとなり、ユーザーの作業や操作が煩雑になってしまう。また、特許文献１では、名刺の表面に記載された郵便番号と名刺の裏面に記載された郵便番号とを比較して、同じであるものを対応付けることとしている。しかし、例えば、名刺の表面の郵便番号と名刺の裏面の郵便番号とが同じものが複数ある場合、名刺の表面と名刺の裏面とを適切に対応付けることができない。
【０００６】
この発明の目的は、ユーザーの操作や作業の負担を軽減すると共に、読み取られた名刺の表面の画像と名刺の裏面の画像とを効率的に対応付けることができる画像処理装置を提供することである。
【課題を解決するための手段】
【０００７】
この発明に係る画像処理装置は、読み取り部と、記憶部と、切り出し部と、回転部と、抽出部と、導出部と、受け付け部と、判断部と、比較部と、第一制御部と、第二制御部とを備える。読み取り部は、名刺の画像を読み取る。記憶部は、読み取り部により読み取られた名刺の画像を記憶する。切り出し部は、読み取り部により読み取られた名刺の画像の端部に沿って切り出す。回転部は、切り出し部により切り出された名刺の画像の端部が傾斜していれば、傾斜を修正するよう名刺の画像を回転させる。抽出部は、切り出し部により切り出された名刺の画像の中から文字列を抽出する。導出部は、抽出部により抽出された文字列の属性を導出する。受け付け部は、予め文字列の属性の優先順位の入力を受け付ける。判断部は、読み取り部により所定の回に読み取られ、記憶部に記憶された名刺の画像に含まれる文字列の属性と、読み取り部により所定の回と異なる回に読み取られ、記憶部に記憶された名刺の画像に含まれる文字列の属性とが一致するか否かを、受け付け部により入力を受け付けた文字列の属性の優先順位順に判断する。比較部は、判断部により文字列の属性が一致すると判断されれば、属性が導出された文字列が一致するか否かを比較する。第一制御部は、比較部による文字列の比較結果に基づいて、名刺の一方の面の画像と名刺の他方の面の画像とを名刺の表裏の画像として対応付ける。第二制御部は、第一制御部により表面の画像と裏面の画像とが対応付けられた名刺の画像を記憶部に記憶するよう制御する。
【発明の効果】
【０００８】
このような構成によれば、名刺の表面の画像および名刺の裏面の画像をそれぞれ読み取り、文字列を抽出して、予め入力された属性の優先順位に基づいて名刺の表面と名刺の裏面とを対応付けることとしている。そうすると、入力された属性の優先順位に応じて、効率的に名刺の表面の画像と名刺の裏面の画像とを対応付けることができる。この場合、名刺の表面および裏面の画像をそれぞれ読み取らせる際の位置を気にすることはない。したがって、このような画像処理装置は、ユーザーの操作や作業の負担を軽減すると共に、読み取られた名刺の表面の画像と名刺の裏面の画像とを効率的に対応付けることができる。
【図面の簡単な説明】
【０００９】
【図１】この発明の一実施形態に係る画像処理装置を複合機に適用した場合の複合機の外観を示す概略図である。
【図２】図１に示す複合機の構成を示すブロック図である。
【図３】制御部の構成を示すブロック図である。
【図４】名刺の表面の画像および名刺の裏面の画像を読み取る際の処理の流れを示すフローチャートである。
【図５】名刺の表面の画像を読み取る際の名刺の配置の状態を示す図である。
【図６】名刺の裏面の画像を読み取る際の名刺の配置の状態を示す図である。
【図７】名刺の表面の画像である。
【図８】名刺の裏面の画像である。
【図９】名刺の表面の画像と名刺の裏面の画像とを対応付ける際の処理の流れを示すフローチャートである。
【図１０】この発明の他の実施形態に係る複合機に備えられる制御部の構成を示す図である。
【図１１】用紙の両面に名刺の表面の画像、および名刺の裏面の画像を印刷した場合を示す図であり、印刷物のうち、名刺の表面側の画像が印刷された面を示す。
【図１２】用紙の両面に名刺の表面の画像、および名刺の裏面の画像を印刷した場合を示す図であり、印刷物のうち、名刺の裏面側の画像が印刷された面を示す。
【発明を実施するための形態】
【００１０】
以下、この発明の実施の形態を説明する。図１は、この発明の一実施形態に係る画像処理装置を複合機に適用した場合の複合機１１の外観を示す概略図である。図２は、図１に示す複合機１１の構成を示すブロック図である。
【００１１】
図１および図２において、複合機１１は、制御部１２と、操作部１３と、読み取り部１４と、画像形成部１５と、給紙カセット１６と、ハードディスク１７と、ネットワーク（図示せず）と接続するためのネットワークインターフェース部１８とを備える。なお、図１において、矢印Ｄ１で上から下に向く方向を示している。また、図１において、矢印Ｄ２で左から右に向く方向を示している。
【００１２】
制御部１２は、複合機１１全体の制御を行う。制御部１２は、ＣＰＵ等から構成されており、一時的にデータを記憶する記憶部としての主記憶メモリ１９を含む。操作部１３は、タッチパネル型式の表示画面２１を含む。
【００１３】
読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。読み取り部１４は、透明のコンタクトガラスにより構成されており、その上に原稿や、定型の原稿よりも小さい原稿、例えば、名刺を載置することができる。名刺については、そのサイズが比較的小さいことから、複数の名刺を同時に読み取り部１４上に載置することができる。原稿の画像を読み取る際には、ＡＤＦ２２の一部を構成し、読み取り部１４上に載置された原稿を押さえる原稿押さえ２６が閉じられる。原稿押さえ２６については、開閉自在に設けられている。すなわち、原稿押さえ２６が閉じられた状態で、原稿の画像が、読み取り部１４により読み取られる。読み取り部１４は、画像読み取り用のキャリッジ２３を、図１中の矢印Ｄ２で示す副走査方向に移動させながら光を原稿側に照射し、受光した反射光から原稿の画像を読み取る。なお、ＡＤＦ２２にセットされた原稿の画像を読み取る際には、キャリッジ２３を、所定の箇所に停止した状態で、ＡＤＦ２２により搬送される原稿の画像を読み取る。
【００１４】
次に、複合機１１に備えられる制御部１２の構成について説明する。図３は、制御部１２の構成を示すブロック図である。図３を参照して、制御部１２は、切り出し部３１と、回転部３２と、抽出部３３と、導出部３４と、受け付け部３５と、判断部３６と、比較部３７と、第一制御部３８と、第二制御部３９とを備える。切り出し部３１は、読み取り部１４により読み取られた名刺の画像の端部に沿って切り出す。回転部３２は、切り出し部３１により切り出された名刺の画像の端部が傾斜していれば、傾斜を修正するよう名刺の画像を回転させる。抽出部３３は、切り出し部３１により切り出された名刺の画像の中から文字列を抽出する。導出部３４は、抽出部３３により抽出された文字列の属性を導出する。受け付け部３５は、予め文字列の属性の優先順位の入力を受け付ける。判断部３６は、読み取り部１４により所定の回に読み取られ、主記憶メモリ１９に記憶された名刺の画像に含まれる文字列の属性と、読み取り部１４により所定の回と異なる回に読み取られ、主記憶メモリ１９に記憶された名刺の画像に含まれる文字列の属性とが一致するか否かを、受け付け部３５により入力を受け付けた文字列の属性の優先順位順に判断する。比較部３７は、判断部３６により文字列の属性が一致すると判断されれば、属性が導出された文字列が一致するか否かを比較する。第一制御部３８は、比較部３７による文字列の比較結果に基づいて、名刺の一方の面の画像と名刺の他方の面の画像とを名刺の表裏の画像として対応付ける。第二制御部３９は、第一制御部３８により表面の画像と裏面の画像とが対応付けられた名刺の画像を主記憶メモリ１９に記憶するよう制御する。これらの構成については、後に詳述する。
【００１５】
次に、複合機１１を用いて、複数枚、ここでは３枚の名刺を読み取る場合について説明する。ここで、名刺については、両面、すなわち、表面と裏面にそれぞれ画像があるため、名刺の表面の画像と名刺の裏面の画像との両面の画像を読み取る必要がある。したがって、少なくとも合計２回の名刺の画像の読み取りが必要となる。ここでは、３枚の名刺の表面の画像を一度に読み取る読み取りと、３枚の名刺の裏面の画像を一度に読み取る読み取りとの２回の読み取りを行う場合について説明する。
【００１６】
図４は、名刺の表面の画像および名刺の裏面の画像を読み取る際の処理の流れを示すフローチャートである。図５は、名刺の表面の画像を読み取る際の名刺の配置の状態を示す図である。図６は、名刺の裏面の画像を読み取る際の名刺の配置の状態を示す図である。なお、図６において、理解の容易の観点から、名刺の表面の画像が上向きになる場合を、ハッチングで示している。
【００１７】
まず、図４および図５を参照して、読み取り部１４上には、３枚の名刺５１ａ、５１ｂ、５１ｃが載置されている。名刺５１ａ〜５１ｃは、それぞれ間隔を開けて、それぞれの表面が下向きとなるよう載置されている。すなわち、名刺５１ａ〜５１ｃの裏面５３ａ、５３ｂ、５３ｃが上向きとなり、コンタクトガラスの下側に位置するキャリッジ２３に対向するよう載置されている。
【００１８】
ここで、ユーザーは、各名刺５１ａ〜５１ｃを主走査方向または副走査方向に揃えて並べたり、整理して配置させる必要はない。すなわち、名刺５１ａ〜５１ｃは主走査方向または副走査方向に対して傾斜して載置されていてもよい。したがって、名刺５１ａ〜５１ｃの画像を読み取らせる際のユーザーの作業の煩雑さを軽減することができる。
【００１９】
その後、ユーザーにより原稿押さえ２６が閉じられる。そして、制御部１２は、ユーザーからの名刺５１ａ〜５１ｃの読み取りである旨の設定の入力を、操作部１３を介して受け付ける（図４において、ステップＳ１１、以下、「ステップ」を省略する）。その後、操作部１３に設けられたスタートキー（図示せず）の押下を検知すると（Ｓ１２において、ＹＥＳ）、読み取り部１４は、キャリッジ２３を副走査方向に移動させながら、名刺５１ａ〜５１ｃの表面５２ａ〜５２ｃの画像を読み取る（Ｓ１３）。読み取られた名刺５１ａ〜５１ｃのそれぞれの表面の画像については、記憶部としての主記憶メモリ１９に一旦記憶される（Ｓ１４）。
【００２０】
名刺５１ａ〜５１ｃの表面の画像の読み取りが終了すると、ユーザーにより、名刺５１ａ〜５１ｃが裏返される。そうすると今度は、図６に示すように、名刺５１ａ〜５１ｃの表面５２ａ、５２ｂ、５２ｃが上向きとなり、読み取り部１４は、下向きとなった名刺５１ａ〜５１ｃの裏面５３ａ〜５３ｃの画像を読み取る（Ｓ１５）。その後、同様に、読み取られた名刺５１ａ〜５１ｃのそれぞれの裏面５３ａ〜５３ｃの画像については、主記憶メモリ１９に一旦記憶される（Ｓ１６）。
【００２１】
ここで、切り出し部３１は、読み取り部１４により読み取られた名刺５１ａ〜５１ｃの画像の端部に沿って切り出す（Ｓ１７）。その後、回転部３２は、切り出し部３１により切り出された名刺５１ａ〜５１ｃの端部が傾斜していれば（Ｓ１８において、ＹＥＳ）、画像の傾斜を修正する（Ｓ１９）。すなわち、名刺５１ａ〜５１ｃの端部が、副走査方向または主走査方向に対して真っ直ぐに延びていない場合には、名刺５１ａ〜５１ｃの端部が副走査方向または主走査方向に真っ直ぐに延びるように画像を回転させる。この場合、画像の傾斜の角度に応じて、それぞれを回転させる。
【００２２】
ここで、名刺５１ａ〜５１ｃについて、名刺５１ａ〜５１ｃの表面５２ａ〜５２ｃの画像と名刺５１ａ〜５１ｃの裏面５３ａ〜５３ｃの画像とは、それぞれ別個に主記憶メモリ１９に記憶されており、対応付けられていない。すなわち、名刺５１ａ〜５１ｃの表面５２ａ〜５２ｃの画像と名刺５１ａ〜５１ｃの裏面５３ａ〜５３ｃの画像とがペアとなって紐付けられていない状態である。したがって、次に、名刺５１ａ〜５１ｃの表面５２ａ〜５２ｃの画像と名刺５１ａ〜５１ｃの裏面５３ａ〜５３ｃの画像とを対応付ける。
【００２３】
ここで、名刺５１ａ〜５１ｃの表面５２ａ〜５２ｃの画像と名刺５１ａ〜５１ｃの裏面５３ａ〜５３ｃの画像との対応付けについて説明する。まず、名刺５１ａの表面５２ａの画像について説明する。図７は、名刺５１ａの表面５２ａの画像である。図７を参照して、名刺５１ａの表面５２ａには、属性を「名前」とする「山田  太郎」との文字列５４ａ、属性を「所属」とする「ソフト開発本部  ＸＸＸ課」との文字列５４ｂ、属性を「会社」とする「京セラドキュメントソリューションズ株式会社」との文字列５４ｃ、属性を「住所」とする「大阪市中央区玉造１丁目２番２８号」との文字列５４ｄ、属性を「郵便番号」とする「〒５４０−８５８５」との文字列５４ｅ、属性を「電話番号」とする「Ｔｅｌ：０６−６７６４−３３２７」との文字列５４ｆ、属性を「ファクシミリ番号」とする「Ｆａｘ：０６−６７６４−３３３９」との文字列５４ｇ、属性を「電子メールアドレス」とする「Ｅ−ｍａｉｌ：ｔａｒｏ．ｙａｍａｄａ＠ｄｃ．ｋｙｏｃｅｒａ．ｃｏｍ」との文字列５４ｈが表記されている。すなわち、名刺５１ａの表面５２ａには、８つの属性を示す文字列５４ａ〜５４ｈが表記されている。ここで、属性とは、名前や住所等のカテゴリーに分けられた情報の種類の一つをいう。
【００２４】
次に、名刺５１ａの裏面５３ａの画像について説明する。図８は、名刺５１ａの裏面５３ａの画像である。図８を参照して、名刺５１ａの裏面５３ａには、属性を「名前」とする「Ｔａｒｏ  Ｙａｍａｄａ」との文字列５５ａ、属性を「所属」とする「Ｃｏｒｐｏｒａｔｅ  Ｓｏｆｔｗａｒｅ  Ｄｅｖｅｌｏｐｍｅｎｔ  Ｄｉｖｉｓｉｏｎ  ＸＸＸ  ｓｅｃｔｉｏｎ」との文字列５５ｂ、属性を「会社」とする「ＫＹＯＣＥＲＡ  Ｄｏｃｕｍｅｎｔ  Ｓｏｌｕｔｉｏｎｓ  Ｉｎｃ．」との文字列５５ｃ、属性を「住所」とする「２−２８，１−Ｃｈｏｍｅ，Ｔａｍａｔｓｕｋｕｒｉ，Ｃｈｕｏ−ｋｕ，Ｏｓａｋａ，Ｊａｐａｎ」との文字列５５ｄ、属性を「郵便番号」とする「５４０−８５８５」との文字列５５ｅ、属性を「電話番号」とする「Ｔｅｌ：＋８１−６−６７６４−３３２７」との文字列５５ｆ、属性を「ファクシミリ番号」とする「Ｆａｘ：＋８１−６−６７６４−３３３９」との文字列５５ｇ、属性を「電子メールアドレス」とする「Ｅ−ｍａｉｌ：ｔａｒｏ．ｙａｍａｄａ＠ｄｃ．ｋｙｏｃｅｒａ．ｃｏｍ」との文字列５５ｈが表記されている。すなわち、名刺５１ａの表面５２ａに表記された８つの属性に対応する文字列５５ａ〜５５ｈが英語で表記されている。
【００２５】
図９は、名刺５１ａ〜５１ｃの表面５２ａ〜５２ｃの画像と名刺５１ａ〜５１ｃの裏面５３ａ〜５３ｃの画像とを対応付ける際の処理の流れを示すフローチャートである。図９を参照して、まず、受け付け部３５は、ユーザーにより文字列の属性の優先順位の入力を受け付ける（Ｓ２１）。ユーザーは、名刺の種類等に応じて、優先順位をつけて操作部１３を介して属性の優先順位を入力する。ここでは、属性として、「名前」、「電子メールアドレス」、「電話番号」という順序で優先順位が３つ入力されるものとする。
【００２６】
優先順位の入力を受け付けると（Ｓ２１において、ＹＥＳ）、抽出部３３は、名刺５１ａ〜５１ｃと判断された画像の中から、文字列を抽出する（Ｓ２２）。この場合、具体的には、名刺５１ａ〜５１ｃの表面５２ａ〜５２ｃの画像、および名刺５１ａ〜５１ｃの裏面５３ａ〜５３ｃの画像のそれぞれから、名刺ＯＣＲ（Ｏｐｔｉｃａｌ  Ｃｈａｒａｃｔｅｒ  Ｒｅｃｏｇｎｉｔｉｏｎ）機能により、文字列を抽出する。ここで、文字列を抽出する際には、ＯＣＲの機能における向き検知機能を利用し、向きが正方向でなければ、９０度、１８０度、２７０度といった９０度毎に画像を回転させて文字を認識し、文字列を抽出する。
【００２７】
その後、導出部３４は、抽出部３３により抽出された文字列から、文字列に対応する属性を導出する（Ｓ２３）。具体的には、名刺５１ａの表面５２ａの画像については、以下の通りである。「山田  太郎」という文字列５４ａについては、ハードディスク１７に記憶された人名辞典データ等を検索して、ヒットすれば、「山田  太郎」という文字列５４ａについては、「名前」という属性であると導出される。また、ハードディスク１７に記憶された会社名のデータベースと照らし合わせて、「京セラドキュメントソリューションズ株式会社」という文字列５４ｃから、この文字列５４ｃの属性が「会社名」であると導出される。また、「Ｅ−ｍａｉｌ」という文字列があれば、電子メールアドレスという属性、およびこれに続く文字列、この場合、「Ｅ−ｍａｉｌ」という文字列と隣り合う文字列を、電子メールアドレスを示す文字列として導出される。このようにして、ハードディスク１７に記憶されたデータベース等を利用して、文字列５４ｂが「所属」という属性であると導出される。また、文字列５４ｄが「住所」という属性、文字列５４ｅが「郵便番号」という属性、文字列５４ｆが「電話番号」という属性、文字列５４ｇが「ファクシミリ番号」という属性、文字列５４ｈが「電子メールアドレス」という属性であると導出される。
【００２８】
また、名刺５１ａの裏面５３ａの画像については、以下の通りである。「Ｔａｒｏ  Ｙａｍａｄａ」という文字列５５ａについては、ハードディスク１７に記憶された人名辞典データ等を検索して、ヒットすれば、「Ｔａｒｏ  Ｙａｍａｄａ」という文字列５５ａについては、「名前」という属性であると導出される。また、ハードディスク１７に記憶された会社名のデータベースと照らし合わせて、「ＫＹＯＣＥＲＡ  Ｄｏｃｕｍｅｎｔ  Ｓｏｌｕｔｉｏｎｓ  Ｉｎｃ．」という文字列５５ｃから、この文字列５５ｃの属性が「会社名」であると導出される。このようにして、ハードディスク１７に記憶されたデータベース等を利用して、文字列５５ｂが「所属」という属性であると導出される。また、文字列５５ｄが「住所」という属性、文字列５５ｅが「郵便番号」という属性、文字列５５ｆが「電話番号」という属性、文字列５５ｇが「ファクシミリ番号」という属性、文字列５５ｈが「電子メールアドレス」という属性であると導出される。
【００２９】
次に、導出部３４により、各文字列５４ａ〜５４ｈ、５５ａ〜５５ｈについての属性が導出された後、判断部３６は、属性を判断する。具体的には、判断部３６は、読み取り部１４により所定の回、この場合は一回目に読み取られ、主記憶メモリ１９に記憶された名刺５１ａ〜５１ｃの画像に含まれる文字列５４ａ〜５４ｈの属性と、読み取り部１４により所定の回と異なる回、この場合は二回目に読み取られ、主記憶メモリ１９に記憶された名刺５１ａの画像に含まれる文字列５５ａ〜５５ｈの属性とが一致するか否かを、受け付け部３５により入力を受け付けた文字列の属性の優先順位順に判断する。
【００３０】
そして、比較部３７は、属性が一致するもの同士の文字列を比較する（Ｓ２４）。すなわち、比較部３７は、判断部３６により文字列の属性が一致すると判断されれば、属性が導出された文字列が一致するか否かを比較する。この場合、受け付け部３５により受け付けられた優先順位の高いものの順に比較する。具体的には、属性を「名前」とするものの優先順位が最も高いので、名刺５１ａの表面５２ａのうちの属性を「名前」とする「山田  太郎」との文字列５４ａと、名刺５１ａの裏面５３ａのうちの属性を「名前」とする「Ｔａｒｏ  Ｙａｍａｄａ」との文字列５５ａとを比較する。
【００３１】
この場合、「山田  太郎」との文字列５４ａと、「Ｔａｒｏ  Ｙａｍａｄａ」との文字列５５ａとは一致しない（Ｓ２５において、ＮＯ）。そうすると、次に比較する優先順位の高い属性があるか否かを検出し（Ｓ２６）、比較する属性があれば（Ｓ２６において、ＹＥＳ）、次に優先順位の高い属性に対応する文字列を比較する（Ｓ２７）。この場合、「電子メールアドレス」の属性で文字列を比較する。具体的には、名刺５１ａの表面５２ａのうちの属性を「電子メールアドレス」とする「ｔａｒｏ．ｙａｍａｄａ＠ｄｃ．ｋｙｏｃｅｒａ．ｃｏｍ」との文字列５４ｈと、名刺５１ａの裏面５３ａのうちの属性を「電子メールアドレス」とする「ｔａｒｏ．ｙａｍａｄａ＠ｄｃ．ｋｙｏｃｅｒａ．ｃｏｍ」との文字列５５ｈとを比較する。
【００３２】
ここで、それぞれの文字列５４ｈ、５５ｈは一致するので（Ｓ２５において、ＹＥＳ）、第一制御部３８は、名刺５１ａの表面５２ａの画像と名刺５１ａの裏面５３ａの画像とを対応付ける（Ｓ２８）。すなわち、第一制御部３８は、比較部３７による文字列の比較結果に基づいて、名刺５１ａの一方の面の画像と名刺５１ａの他方の面の画像とを名刺５１ａの表裏の画像として対応付ける。具体的には、表面５２ａの画像、および裏面５３ａの画像が、名刺５１ａの表裏の画像であると対応付けられる。
【００３３】
その後、第二制御部３９は、第一制御部３８により表面５２ａの画像と裏面５３ａの画像とが対応付けられた名刺５１ａの画像をハードディスク１７に記憶するよう制御する（Ｓ２８）。すなわち、第二制御部３９は、第一制御部３８により表面５２ａの画像と裏面５３ａの画像とが対応付けられた名刺５１ａの画像をハードディスク１７に記憶するよう制御する。他の名刺５１ｂ、５１ｃの表面５２ｂ、５２ｃの画像、および裏面５３ｂ、５３ｃの画像についても同様に対応付けを行い、ハードディスク１７に記憶するよう制御する。
【００３４】
このように構成することにより、名刺５１ａの表面５２ａの画像および名刺５１ａの裏面５３ａの画像をそれぞれ読み取り、文字列５４ａ〜５４ｈ、５５ａ〜５５ｈを抽出して、予め入力された属性の優先順位に基づいて名刺５１ａの表面５２ａと名刺５１ａの裏面５３ａとを対応付けることとしている。そうすると、入力された属性の優先順位に応じて、効率的に名刺５１ａの表面５２ａの画像と名刺５１ａの裏面５３ａの画像とを対応付けることができる。この場合、名刺５１ａの表面５２ａおよび裏面５３ａの画像をそれぞれ読み取らせる際の位置を気にすることはない。したがって、このような複合機１１は、ユーザーの操作や作業の負担を軽減すると共に、読み取られた名刺５１ａの表面５２ａの画像と名刺５１ａの裏面５３ａの画像とを効率的に対応付けることができる。
【００３５】
この場合、属性は、名前、電子メールアドレス、電話番号、ファクシミリ番号、住所、会社、所属、および役職を含むため、より適切な属性で対応付けることができる。
【００３６】
なお、上記した場合について、Ｓ２６において、比較する属性がなくなった場合には、（Ｓ２６において、ＮＯ）、対応付けられる画像が無い旨を表示画面２１に表示して（Ｓ３０）、処理を終了する。
【００３７】
ここで、上記の実施の形態において、第一制御部３８による対応付けの結果を表示画面２１による表示で報知する報知部を備える構成としてもよい。また、報知部により報知された対応付けの結果の修正を受け付ける修正受け付け部をさらに備える構成としてもよい。こうすることにより、ユーザーによる確認や修正結果の反映を経て、より確実に名刺５１ａの表面５２ａの画像と名刺５１ａの裏面５３ａの画像とを対応付けることができる。ここで、修正の受け付けについては、例えば、操作部１３を介して行うようにする。なお、音声にて報知するようにしてもよい。この場合、表示による報知と音声による報知とを合わせて行ってもよい。
【００３８】
また、第一制御部３８は、一方の面に含まれる属性を示す文字列に対して所定の位置にある文字列が、他方の面に含まれる属性を示す文字列に対して所定の位置にある文字列と一致すれば、名刺の表面の画像と名刺の裏面の画像とを対応付けるよう制御するようにしてもよい。具体的には、「郵便番号」を表す「〒」の文字列に続く所定の位置にある二つの「−」（ハイフォン）で繋がれた数値の文字列を、郵便番号を示す文字列として一致するか否かを判断して対応付けるようにしてもよい。
【００３９】
また、以下のような構成としてもよい。図１０は、この発明の他の実施形態に係る複合機に備えられる制御部４１の構成を示す図である。図１０において、図３と同様の構成については、同一の符号を付してこれらの説明を省略する。図１０を参照して、制御部４１は、名刺５１ａの表面５２ａの画像に含まれる文字列５４ａ〜５４ｈと名刺５１ａの裏面５３ａの画像に含まれる文字列５５ａ〜５５ｈとの言語が一致するか否かを判定する判定部４２と、判定部４２により一致しないと判定されれば、一方の文字列５４ａ〜５４ｈの言語に他方の文字列５５ａ〜５５ｈの言語を翻訳する翻訳部４３とをさらに備える。そして、判断部３６は、翻訳された文字列の属性が翻訳されていない文字列の属性と一致するか否かを判断する。
【００４０】
このように構成することにより、一方の言語側に他方の言語を翻訳させて比較することができる。そうすると、言語の違いの影響をなくして、より文字列５４ａ〜５４ｈ、５５ａ〜５５ｈの一致率を上げることができ、よりユーザーの利便性のよい対応付けを行うことができる。
【００４１】
なお、上記の実施の形態において、属性の優先順位を入力させる段階において、薦める優先順位を表示画面２１に表示するようにしてもよい。こうすることにより、よりユーザーの操作の負担の軽減を図ることができる。
【００４２】
また、上記の実施の形態において、複合機１１は、表面５２ａの画像と裏面５３ａの画像とが対応付けられた名刺５１ａの画像を基に画像形成部１５により用紙の画像を形成するよう制御する第三制御部を備える構成としてもよい。
【００４３】
この場合、用紙の表面と用紙の裏面にそれぞれ、名刺５１ａの表面５２ａの画像と名刺５１ａの裏面５３ａの画像を形成するようにしてもよい。すなわち、両面印刷の機能を利用して、名刺５１ａの表面５２ａの画像と名刺５１ａの裏面５３ａの画像を形成するようにする。こうすることにより、名刺５１ａと同様、すなわち、用紙の両面に名刺５１ａの画像を印刷した印刷物を得ることができる。
【００４４】
なお、第三制御部は、属性の中で予め定められた順序で名刺の画像データを配列させて画像形成部１５により画像を形成するよう制御するようにしてもよい。こうすることにより、よりユーザーの要求に応じた画像形成をすることができる。
【００４５】
ここで、第三制御部は、第一制御部３８により表面の画像と裏面の画像を対応付けた名刺の画像を、用紙の縦方向または横方向に一列に連なるよう複数配列させて画像形成部１５により画像を形成するよう制御するようにしてもよい。また、第三制御部は、名刺の表面の画像を用紙の一方の面に形成し、名刺の裏面の画像を用紙の他方の面のうちの名刺の表面に対応する位置に形成するよう画像形成部１５を制御するようにしてもよい。
【００４６】
図１１および図１２は、用紙の両面に名刺の表面の画像、および名刺の裏面の画像を印刷した場合を示す図である。図１１は、印刷物のうち、名刺の表面側の画像が印刷された面を示し、図１２は、印刷物のうち、名刺の裏面側の画像が印刷された面を示す。
【００４７】
まず、図１１を参照して、印刷物６１の表面６２ａには、名刺５１ａの表面５２ａに対応する画像６４ａ、名刺５１ｂの表面５２ｂに対応する画像６４ｂ、名刺５１ｃの表面５２ｃに対応する画像６４ｃが印刷されている。なお、他の名刺の表面に対応する画像６４ｄ、６４ｅ、６４ｆ、６４ｈ、６４ｈについては、その外枠のみ図示している。ここで、名刺５１ａの表面５２ａに対応する画像６４ａについては、印刷物６１の左上の領域、名刺５１ｂの表面５２ｂに対応する画像６４ｂについては、印刷物６１の右上の領域に印刷されている。
【００４８】
次に、図１２を参照して、印刷物６１の裏面６３ａには、名刺５１ａの裏面５３ａに対応する画像６５ａ、名刺５１ｂの裏面５３ｂに対応する画像６５ｂ、名刺５１ｃの裏面５３ｃに対応する画像６５ｃが印刷されている。なお、他の名刺の裏面に対応する画像６５ｄ、６５ｅ、６５ｆ、６５ｈ、６５ｈについては、その外枠のみ図示している。ここで、名刺５１ａの裏面５３ａに対応する画像６５ａについては、印刷物６１の右上の領域、すなわち、名刺５１ａの表面５２ａに対応する画像６４ａのちょうど裏側に配置されるよう印刷されている。名刺５１ｂの裏面５３ａに対応する画像６５ｂについては、印刷物６１の左上の領域、すなわち、名刺５１ｂの表面５２ｂに対応する画像６４ｂのちょうど裏側に配置されるように印刷されている。他の名刺に対応する画像６５ｃ〜６５ｈについても同様である。
【００４９】
このように構成することにより、いわゆる名刺ホルダーに名刺を入れたような印刷を行うことができる。したがって、よりユーザーの要求に応じた印刷を行うことができる。
【００５０】
なお、上記の実施の形態においては、記憶部としての主記憶メモリ１９に読み取り部１４により読み取られた画像を一旦記憶するようにしたが、これに限らず、記憶部としてのハードディスク１７に記憶するようにしてもよい。
【００５１】
また、上記の実施の形態において、読み取り部１４は、名刺の両面の画像を読み取る構成としてもよい。すなわち、この発明のさらに他の実施形態に係る画像処理装置は、名刺の両面の画像を読み取る読み取り部と、読み取り部により読み取られた名刺の画像を記憶する記憶部と、読み取り部により読み取られた名刺の画像の端部に沿って切り出す切り出し部と、切り出し部により切り出された名刺の画像の端部が傾斜していれば、傾斜を修正するよう名刺の画像を回転させる回転部と、切り出し部により切り出された名刺の画像の中から文字列を抽出する抽出部と、抽出部により抽出された文字列の属性を導出する導出部と、予め文字列の属性の優先順位の入力を受け付ける受け付け部と、読み取り部により所定の回に読み取られ、記憶部に記憶された名刺の画像に含まれる文字列の属性と、読み取り部により所定の回と異なる回に読み取られ、記憶部に記憶された名刺の画像に含まれる文字列の属性とが一致するか否かを、受け付け部により入力を受け付けた文字列の属性の優先順位順に判断する判断部と、判断部により文字列の属性が一致すると判断されれば、属性が導出された文字列が一致するか否かを比較する比較部と、比較部による文字列の比較結果に基づいて、名刺の一方の面の画像と名刺の他方の面の画像とを名刺の表裏の画像として対応付ける第一制御部と、第一制御部により表面の画像と裏面の画像とが対応付けられた名刺の画像を記憶部に記憶するよう制御する第二制御部とを備える構成とする。こうすることにより、よりユーザーの操作や作業の負担を軽減することができる。なお、この場合、名刺の両面の画像のうち、表面の画像の読み取りと裏面の画像の読み取りとは、異なる回としてカウントする。
【００５２】
また、この発明の他の局面において、画像処理方法は、以下の構成を備える。すなわち、画像処理方法は、名刺の両面の画像を読み取る工程と、読み取られた名刺の画像を記憶する工程と、読み取られた名刺の画像の端部に沿って切り出す工程と、切り出された名刺の画像の端部が傾斜していれば、傾斜を修正するよう名刺の画像を回転させる工程と、切り出された名刺の画像の中から文字列を抽出する工程と、抽出された文字列の属性を導出する工程と、予め文字列の属性の優先順位の入力を受け付ける工程と、所定の回に読み取られ、記憶された画像に含まれる文字列の属性と、所定の回と異なる回に読み取られ、記憶された画像に含まれる文字列の属性とが一致するか否かを、受け付けた文字列の属性の優先順位順に判断する工程と、文字列の属性が一致すると判断されれば、属性が導出された文字列が一致するか否かを比較する工程と、文字列の比較結果に基づいて、一方の面の画像と他方の面の画像とを表裏の画像として対応付ける工程と、表面の画像と裏面の画像とが対応付けられた画像を記憶するよう制御する工程とを備える構成とする。こうすることによっても、ユーザーの操作や作業の負担を軽減すると共に、読み取られた名刺の表面の画像と名刺の裏面の画像とを効率的に対応付けることができる。
【００５３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５４】
この発明に係る画像処理装置は、ユーザーの操作や作業の負担の軽減と共に、読み取られた名刺の表面の画像と名刺の裏面の画像との効率的な対応付けが要求される場合に、特に有効に利用される。
【符号の説明】
【００５５】
１１  複合機、１２，４１  制御部、１３  操作部、１４  読み取り部、１５  画像形成部、１６  給紙カセット、１７  ハードディスク、１８  ネットワークインターフェース部、１９  主記憶メモリ、２１  表示画面、２２  ＡＤＦ、２３  キャリッジ、２６  原稿押さえ、３１  切り出し部、３２  回転部、３３  抽出部、３４  導出部、３５  受け付け部、３６  判断部、３７  比較部、３８  第一制御部、３９  第二制御部、４２  判定部、４３  翻訳部、５１ａ，５１ｂ，５１ｃ  名刺、５２ａ，５２ｂ，５２ｃ，６２ａ  表面、５３ａ，５３ｂ，５３ｃ，６３ａ  裏面、５４ａ，５４ｂ，５４ｃ，５４ｄ，５４ｅ，５４ｆ，５４ｇ，５４ｈ，５５ａ，５５ｂ，５５ｃ，５５ｄ，５５ｅ，５５ｆ，５５ｇ，５５ｈ  文字列、６１  印刷物、６４ａ，６４ｂ，６４ｃ，６４ｄ，６４ｅ，６４ｆ，６４ｇ，６４ｈ，６５ａ，６５ｂ，６５ｃ，６５ｄ，６５ｅ，６５ｆ，６５ｇ，６５ｈ  画像。
【図１】
2018056920.tif 000003
【図２】
2018056920.tif 000004
【図３】
2018056920.tif 000005
【図４】
2018056920.tif 000006
【図５】
2018056920.tif 000007
【図６】
2018056920.tif 000008
【図７】
2018056920.tif 000009
【図８】
2018056920.tif 000010
【図９】
2018056920.tif 000011
【図１０】
2018056920.tif 000012
【図１１】
2018056920.tif 000013
【図１２】
2018056920.tif 000014